(57)【要約】【課題】  高齢者や身体障害者の身体機能低下防止や回復などに利用でき、操作性がよく軽量小型で安価な手織機の提供。【解決手段】  台枠の前部に布巻を後部に経糸巻を、互いに平行に設け、布巻の端部及び経糸巻の端部にそれぞれ巻き戻りを防止するためのストッパーを設け、台枠の中央部内側に布巻及び経糸巻と平行にキャッスルを設け、キャッスルの上部に上ロクロを下部に下ロクロを設け、上下のロクロに、ロクロの回転により上下並行運動する２枚の綜絖枠を吊り下げ、綜絖枠と布巻の間に筬枠を設けた手織機であって、キャッスルを貫通させた上ロクロの少なくとも一方の端に上ロクロを回転させるためのハンドルを連結し、ハンドルが最も下を向いた位置にきたときにハンドルの回転を止めるための停止部材を設けたことを特徴とする手織機。【選択図】        図１
2006161260.tif 000002
【特許請求の範囲】
【請求項１】
台枠の前部に布巻を後部に経糸巻を、互いに平行に設け、布巻の端部及び経糸巻の端部にそれぞれ巻き戻りを防止するためのストッパーを設け、台枠の中央部内側に布巻及び経糸巻と平行にキャッスルを設け、キャッスルの上部に上ロクロを下部に下ロクロを設け、上下のロクロに、ロクロの回転により上下並行運動する２枚の綜絖枠を吊り下げ、綜絖枠と布巻の間に筬枠を設けた手織機であって、キャッスルを貫通させた上ロクロの少なくとも一方の端に上ロクロを回転させるためのハンドルを連結し、ハンドルが最も下を向いた位置にきたときにハンドルの回転を止めるための停止部材を設けたことを特徴とする手織機。
【請求項２】
キャッスルを取り外し可能とし、一端にクランクを設けたハンドルを連結部材を介して上ロクロに取り付けたことを特徴とする請求項１記載の手織機。
【発明の詳細な説明】
【技術分野】
【０００１】  本発明は、高齢者や身体障害者の身体機能低下防止や回復などに使える手織機に関する。
【背景技術】
【０００２】  脳梗塞などの障害の後遺症として、手足の麻痺、言語障害、判断力の低下、記憶喪失などが起ることが知られている。また、高齢者は一般に加齢と共に精神的に不安定になったり、視野が狭くなるなどの身体機能の低下を起こす。これらの身体機能の低下防止や回復のためには、機能回復訓練が必要である。例えば、手足を動かす体操、歌唱などの発声、笑いや対話などにより脳の働きを促すことが有効とされている。しかし、機能回復訓練を介護者が患者と一対一で行うことは、人手が掛かりすぎて介護者の確保が難しいため現実には無理である。
一方、患者の早期自立を促す面からも患者に一人で何らかの作業をやらせることが好ましく、その作業の一つとして織物を織らせることが極めて有効であることが分ってきた。
ところで、古来、織機は足踏み板を強く踏む方式のものが主流であり、脚力を期待できないことが多い機能回復訓練には不向きであるが、最近、足腰の弱い老人向けに手織機が市販されている。これらの手織機の元は特許文献１記載の発明のようで、市販品は該発明を改良発展させたものが殆どであるが、価格が高く、また、操作に相当の力が必要であるなど機能的に高齢者や身体障害者の機能回復訓練には適さないという問題がある。【０００３】  また、特許文献２には、ロクロの両側の軸に把手を取り付け、ロクロの把手取付面に玉ばねを設けて雄とし、把手幹に凹部を設けて雌とし、把手の回転により玉ばねが雌に挿入して把手とロクロが固定されることにより綜絖の上下を把手で操作できるようにした卓上折たたみ式手織機が開示されている。しかし、この発明は、従来の卓上手織機では綜絖の複数化ができず細糸を使って細かい模様等の手織ができないという欠点を改善するためになされたもので、複雑な織物を織ることが目的であり、身体障害者や高齢者のために構造を工夫した本発明とは全く目的が異なる。そして、この発明の場合、把手を一つの固定位置から次の固定位置に回転させるには、玉ばねの力を上回る力を必要とするため、本発明が対象とする力の弱い身体障害者や高齢者には使えない。更に、把手を同じ回転方向に無限に回転できる構造のため、１回転毎に把手を反対方向に回転させるという認識自体が困難な認知症の人や判断力の低下した高齢者の場合、手織機として用いることは難しい。
また、特許文献３には、各構成要素を取り外し可能とした手織機が開示されているが、本発明のような身体障害者や高齢者のための構造上の工夫については、記載も示唆もされていない。【０００４】
【特許文献１】特公昭４７−２５８２７号公報
【特許文献２】特開昭４９−３５６６０号公報
【特許文献３】特開２００３−８９９４７号公報
【発明の開示】
【発明が解決しようとする課題】
【０００５】  本発明は、高齢者や身体障害者の身体機能低下防止や回復などに利用可能で、操作性がよく、軽量小型で安価な手織機の提供を目的とする。
【課題を解決するための手段】
【０００６】  上記課題は、次の１）〜２）の発明によって解決される。
１）  台枠の前部に布巻を後部に経糸巻を、互いに平行に設け、布巻の端部及び経糸巻の端部にそれぞれ巻き戻りを防止するためのストッパーを設け、台枠の中央部内側に布巻及び経糸巻と平行にキャッスルを設け、キャッスルの上部に上ロクロを下部に下ロクロを設け、上下のロクロに、ロクロの回転により上下並行運動する２枚の綜絖枠を吊り下げ、綜絖枠と布巻の間に筬枠を設けた手織機であって、キャッスルを貫通させた上ロクロの少なくとも一方の端に上ロクロを回転させるためのハンドルを連結し、ハンドルが最も下を向いた位置にきたときにハンドルの回転を止めるための停止部材を設けたことを特徴とする手織機。
２）  キャッスルを取り外し可能とし、一端にクランクを設けたハンドルを連結部材を介して上ロクロに取り付けたことを特徴とする１）記載の手織機。【０００７】  以下、上記本発明について詳しく説明する。
市販の手織機は昔の織機に比べれば小型で便利なものであるが、身体機能の低下、特に腕の筋力や視力が低下した高齢者や身体障害者などにとっては操作が難しい。
一方、昔の織機は足で踏み板を踏んでロクロを回す構造であったが、力が必要であるため手織には適さず、前記特許文献１や市販の手織機はロクロを用いていない。
これに対し本発明では、ロクロを利用しつつ身体機能の低下した高齢者や身体障害者などでも操作することができる手織機を開発したものである。また、認知症の人や判断力の低下した高齢者でも使えるように構造を工夫したものである。【０００８】  即ち、本発明は、腕力の弱い高齢者や身体障害者などでも操作することができるハンドルを上ロクロの少なくとも一方の端に連結すると共に、ハンドルが最も下を向いた位置にきたときにハンドルの回転を止めるための停止部材を設けた点に特徴がある。ハンドルを回すことで上ロクロを回転させ、足踏み板を踏んでロクロを回転させる代りとする。上ロクロの回転により紐などで連結された２枚の綜絖枠が互いに上下並行運動し緯糸を通すことが可能となるが、その他の操作は従来の手織機と同様である。また、ハンドルは３６０度回転毎に反対方向に回転させる必要があるが、判断力の低下した高齢者や認知症の人、身体に不随意運動性障害のある人、知的障害のある人などは、所定の位置できちんとハンドルを止めることができない場合も多いので、ハンドルが最も下を向いた位置にきたときに、ハンドルがそれ以上回転し続けないように、またハンドルの停止位置を判断しなくてもよいように停止部材を設ける必要がある。これにより、身体障害などに関係なく所定の位置でハンドルを停止することが可能となる。この停止部材がないと緯糸を通すタイミングが掴めず手織機として機能させることができなくなってしまう。停止部材の構造は特に限定されないが、最も簡便なのはハンドルの停止位置に停止用突起を設けることである。【０００９】  ハンドルは木材やプラスチックなどを用いて軽くすることが望ましい。また、ハンドルの端部にクランクを付けたり、連結部材を介して上ロクロとハンドルを連結するなどの工夫をして、長さや形状を使用者の身体状況に合わせて変更できるようにすれば、一層操作し易くすることができる。
本発明の手織機は、ハンドルを左右に交互に３６０度回転させる操作の繰返しで製織できるが、このハンドル操作の繰返しが、腕の筋力の弱い高齢者や片手麻痺の障害者などの機能回復訓練に役立つ。また操作を続けることにより精神面の安定性向上や脳の活性化に付随する全体的な身体機能向上に役立つ。【００１０】  続いて、図面を参照しつつ本発明の実施の態様について説明する。
図１は本発明の手織機の一例を正面から見た図（写真）、図２は、その斜視図（写真）、図３は図２と反対側から見た斜視図（写真）である。この例では、端部にクランクを設けたハンドルを、連結部材を介して上ロクロの一端に取り付けている。また、ハンドルの停止位置を規定する停止用突起を設けている。
通常の場合、台枠は板材を組み合わせて正方形又は長方形に作製する。高さ調節などのため脚を設けても良い。この例ではハンドルを上ロクロの一端のみに取り付けているためキャッスルを取り外し可能とし左右反転して取り付けられるようにすることが望ましい。そうすればハンドルの位置の左右を選択することができ、右利き、左利き、片上肢しか使えない身体障害者など、使用者の身体状況に合わせることができる。なお、上ロクロの両端にハンドルを取り付ければ、キャッスルを取り外し自在としなくても同様の目的を達成することができる。【００１１】  また、図はハンドルが下を向いた状態を示しているが、この状態のとき緯糸を通すので、筬枠と綜絖の間がなるべく広く開くように設計し、緯糸を通すための板杼が通り易いようにすれば、視力の低下した高齢者などにとって更に使い易くなる。
その他の部品には特徴はなく従来技術と同様のものを用いれば良い。例えばギャーは、製織作業を正確に行なうために経糸の張り具合を微調整して常に適性に保つための部材であるが、ギャーダブルストッパーを用いれば、糸の太さや作業者のレベルなどにより糸にかかる力が不安定になり、一つ目のストッパーが外れたような場合でも、二つ目のストッパーが働いて糸の緩みを防止することができる。【００１２】  上記した本発明の手織機は軽量小型に設計できるから、筋力の弱い人や身体の可動域が狭まりつつある高齢者などでも容易に手の届く範囲内で操作可能であり非常に扱い易い。また、構造が簡単であるから容易かつ安価に作製でき、組立て可搬式とすることもできるので福祉関係の分野には最適である。安価であれば一人で一台占有させることも可能となり、使用者の満足度や精神安定性も得易いし、リハビリ効果や操作技術の向上も図り易い。なお、軽量化やコストダウンのためには、全体としてなるべく木材の廃材などを用いると良い。
更に、製作が容易な利点を活かして、身体障害者や知的障害者たちが働く福祉作業場等で製作して貰うことも可能である。このような作業所には多様な障害のある人たちが在籍しており、作業所利用者個々の自己実現を大きな目標としているが、規模が小さく財政的に余裕が無いため作業設備が不十分であるし、作業を補助する職員も個々の作業に精通した人員を配置することは困難である。また、障害者であるため危険性の高い作業は取り組み難いことなど種々の問題を抱えている。このような状況の元では個々の作業技術や知識の習得を図りにくく、作業を通しての自己実現は非常に難しいし、作業収入も非常に低く就業意欲も湧きにくい。本発明の手織機はこのような福祉作業所の設備や技術でも製作が可能であるから、製作を依頼すれば、作業量の確保、作業技術の習得、工賃収入の増大などが期待できる。更に、製作した織機が高齢者や障害のある人たちに使用され生き甲斐に役立つという目的や効果が理解し易いので、作業意欲の向上も期待できる。
【発明の効果】
【００１３】  本発明によれば、高齢者や身体障害者の身体機能低下防止や回復などに利用可能で、操作性がよく、軽量小型で安価な手織機を提供できる。
【図面の簡単な説明】
【００１４】
【図１】本発明の手織機の一例を正面から見た図（写真）
【図２】図１の手織機の斜視図（写真）
【図３】図２と反対側から見た斜視図（写真）
【図１】
2006161260.tif 000003
【図２】
2006161260.tif 000004
【図３】
2006161260.tif 000005
【手続補正書】
【提出日】平成17年8月23日(2005.8.23)
【手続補正１】
【補正対象書類名】特許請求の範囲
【補正対象項目名】請求項１
【補正方法】変更
【補正の内容】
【請求項１】
台枠の前部に布巻を後部に経糸巻を、互いに平行に設け、布巻の端部及び経糸巻の端部にそれぞれ巻き戻りを防止するためのストッパーを設け、台枠の中央部内側に布巻及び経糸巻と平行にキャッスルを設け、キャッスルの上部に上ロクロを下部に下ロクロを設け、上下のロクロに、ロクロの回転により上下並行運動する２枚の綜絖枠を吊り下げ、綜絖枠と布巻の間に筬枠を設けた手織機であって、キャッスルを貫通させた上ロクロの少なくとも一方の端に上ロクロを回転させるためのハンドルを連結し、ハンドルが最も下を向いた位置にきたときにのみハンドルの回転を止める停止部材を設けたことを特徴とする身体機能訓練用手織機。
【手続補正２】
【補正対象書類名】明細書
【補正対象項目名】０００６
【補正方法】変更
【補正の内容】
【０００６】  上記課題は、次の１）〜２）の発明によって解決される。  １）  台枠の前部に布巻を後部に経糸巻を、互いに平行に設け、布巻の端部及び経糸巻の端部にそれぞれ巻き戻りを防止するためのストッパーを設け、台枠の中央部内側に布巻及び経糸巻と平行にキャッスルを設け、キャッスルの上部に上ロクロを下部に下ロクロを設け、上下のロクロに、ロクロの回転により上下並行運動する２枚の綜絖枠を吊り下げ、綜絖枠と布巻の間に筬枠を設けた手織機であって、キャッスルを貫通させた上ロクロの少なくとも一方の端に上ロクロを回転させるためのハンドルを連結し、ハンドルが最も下を向いた位置にきたときにのみハンドルの回転を止める停止部材を設けたことを特徴とする身体機能訓練用手織機。  ２）  キャッスルを取り外し可能とし、一端にクランクを設けたハンドルを連結部材を介して上ロクロに取り付けたことを特徴とする１）記載の手織機。
【手続補正３】
【補正対象書類名】明細書
【補正対象項目名】０００８
【補正方法】変更
【補正の内容】
【０００８】  即ち、本発明は、腕力の弱い高齢者や身体障害者などでも操作することができるハンドルを上ロクロの少なくとも一方の端に連結すると共に、ハンドルが最も下を向いた位置にきたときにのみハンドルの回転を止める停止部材を設けた点に特徴がある。ハンドルを回すことで上ロクロを回転させ、足踏み板を踏んでロクロを回転させる代りとする。上ロクロの回転により紐などで連結された２枚の綜絖枠が互いに上下並行運動し緯糸を通すことが可能となるが、その他の操作は従来の手織機と同様である。また、ハンドルは３６０度回転毎に反対方向に回転させる必要があるが、判断力の低下した高齢者や認知症の人、身体に不随意運動性障害のある人、知的障害のある人などは、所定の位置できちんとハンドルを止めることができない場合も多いので、ハンドルが最も下を向いた位置にきたときに、ハンドルがそれ以上回転し続けないように、またハンドルの停止位置を判断しなくてもよいように停止部材を設ける必要がある。これにより、身体障害などに関係なく所定の位置でハンドルを停止することが可能となる。この停止部材がないと緯糸を通すタイミングが掴めず手織機として機能させることができなくなってしまう。停止部材の構造は特に限定されないが、最も簡便なのはハンドルの停止位置に停止用突起を設けることである。